(57)【特許請求の範囲】
【請求項１】
（ａ）７１重量パーセントのＺ−１，１，１，４，４，４−ヘキサフルオロ−２−ブテン、
（ｂ）２７重量パーセントのトランス−１，２−ジクロロエチレン、および
（ｃ）２重量パーセントの１，１，１，３，３−ペンタフルオロブタン
から成る共沸組成物。
【請求項２】
（ａ）５２〜７２重量パーセントのＺ−１，１，１，４，４，４−ヘキサフルオロ−２−ブテン、
（ｂ）２０〜２８重量パーセントのトランス−１，２−ジクロロエチレン、および
（ｃ）０より多く〜２７重量パーセントの１，１，１，３，３−ペンタフルオロブタン
から成る共沸混合物様組成物であって、前記トランス−１，２−ジクロロエチレンおよび前記１，１，１，３，３−ペンタフルオロブタンが、前記Ｚ−１，１，１，４，４，４−ヘキサフルオロ−２−ブテンと共沸混合物様組み合わせを形成するのに有効な量で存在する共沸混合物様組成物。
【請求項３】
請求項１または請求項２に記載の共沸組成物もしくは共沸混合物様組成物を発泡剤として使用する工程を含む熱可塑性または熱硬化性発泡体の製造方法。
【請求項４】
請求項１または請求項２に記載の共沸組成物もしくは共沸混合物様組成物を凝縮させる工程と、その後冷却されるべき本体の近くで前記共沸組成物もしくは共沸混合物様組成物を蒸発させる工程とを含む冷却を行うための方法。
【請求項５】
請求項１または請求項２に記載の共沸組成物もしくは共沸混合物様組成物を溶媒として使用する工程を含む方法。
【請求項６】
請求項１または請求項２に記載の共沸組成物もしくは共沸混合物様組成物を熱媒として使用する工程を含む方法。
【請求項７】
請求項１または請求項２に記載の共沸組成物もしくは共沸混合物様組成物を消火剤または鎮火剤として使用する工程を含む消火または鎮火方法。
【請求項８】
請求項１または請求項２に記載の共沸組成物もしくは共沸混合物様組成物を誘電体として使用する工程を含む方法。
【発明の詳細な説明】
【技術分野】
【０００１】
関連出願の相互参照
本出願は、参照により本明細書に援用される、２０１０年１月１１日出願の米国仮特許出願第６１／２９３，７６８号に対する優先権を主張するものである。
【背景技術】
【０００２】
本開示は、Ｚ−１，１，１，４，４，４−ヘキサフルオロ−２−ブテン、トランス−１，２−ジクロロエチレン、および１，１，１，３，３−ペンタフルオロブタンの共沸もしくは共沸混合物様組成物に関する。
【０００３】
多くの産業は、オゾン破壊性のクロロフルオロカーボン（ＣＦＣ）およびハイドロクロロフルオロカーボン（ＨＣＦＣ）の代替品を見いだすために過去数十年間取り組んできた。ＣＦＣおよびＨＣＦＣは、エアゾール噴射剤、冷媒、クリーニング剤、熱可塑性および熱硬化性発泡体用の膨張剤、熱媒、ガス状誘電体、消火剤および鎮火剤、動力サイクル作動流体、重合媒体、微粒子除去流体、キャリア流体、バフ研磨剤、および置換乾燥剤としてのそれらの使用をはじめとする、多種多様な用途に用いられてきた。これらの用途が広い化合物の代替品の探究で、多くの産業がハイドロフルオロカーボン（ＨＦＣ）の使用に乗り出してきた。
【発明の概要】
【発明が解決しようとする課題】
【０００４】
ＨＦＣは、成層圏オゾンの破壊に関与しないが、それらが「温室効果」に関与するために、すなわち、それらが地球温暖化に関与するために懸念されている。それらが地球温暖化に関与するため、ＨＦＣは監視下に置かれ、それらの広範囲に及ぶ使用もまた将来制限される可能性がある。このように、成層圏オゾンの破壊に関与せず、かつ、低い地球温暖化係数（ＧＷＰ）もまた有する組成物が必要とされている。１，１，１，４，４，４−ヘキサフルオロ−２−ブテン（ＣＦ3ＣＨ＝ＣＨＣＦ3、ＦＯ−１３３６ｍｚｚ）などの、特定のハイドロフルオロオレフィンは両方の目標を達成すると考えられる。
【課題を解決するための手段】
【０００５】
本開示は、（ａ）Ｚ−ＦＯ−１３３６ｍｚｚ、（ｂ）トランス−１，２−ジクロロエチレン（Ｅ−ＣｌＣＨ＝ＣＨＣｌ、トランス−１，２−ＤＣＥ）および（ｃ）１，１，１，３，３−ペンタフルオロブタン（ＣＦ3ＣＨ2ＣＦ2ＣＨ3）から本質的になる共沸もしくは共沸混合物様組成物であって、トランス−１，２−ジクロロエチレンおよび１，１，１，３，３−ペンタフルオロブタンが、Ｚ−ＦＯ−１３３６ｍｚｚと共沸もしくは共沸混合物様混合物を形成するのに有効な量で存在する組成物を提供する。
【０００６】
本開示はまた、これらの共沸もしくは共沸混合物様組成物を、発泡剤、冷媒、溶媒、エアゾール噴射剤、熱媒、消火剤、鎮火剤または誘電体として使用する方法を提供する。
【発明を実施するための形態】
【０００７】
多くの用途で、純粋な単一成分または共沸もしくは共沸混合物様混合物の使用が望ましい。例えば、発泡剤組成物（発泡体膨張剤または発泡体膨張組成物としても知られる）が純粋な単一成分または共沸もしくは共沸混合物様混合物でないとき、組成が発泡体形成プロセスでのその適用の間に変わる可能性がある。かかる組成の変化は、加工にひどい悪影響を及ぼすかまたはその適用で不十分な性能をもたらし得る。また、冷凍用途では、冷媒は、シャフトシール、ホース連結部、ハンダ付け接合部および破壊ラインでの漏洩によって運転中にしばしば失われる。加えて、冷媒は、冷凍設備の保全手順中に大気に放出される場合がある。冷媒が純粋な単一成分または共沸もしくは共沸混合物様組成物でない場合、冷媒組成は、冷凍設備から大気に漏洩するかまたは排出するときに変化する可能性がある。冷媒組成の変化により、冷媒が引火性になるかまたは不十分な冷凍性能を有するようになる。従って、これらのおよび他の用途において共沸もしくは共沸混合物様混合物、例えば、Ｚ−１，１，１，４，４，４−ヘキサフルオロ−２−ブテン（Ｚ−ＣＦ3ＣＨ＝ＣＨＣＦ3、Ｚ−ＦＯ−１３３６ｍｚｚ、ｃｉｓ−ＦＯ−１３３６ｍｚｚ）を含有する共沸もしくは共沸混合物様混合物を使用することが必要とされている。
【０００８】
以下に記載される実施形態の詳細を取り上げる前に、幾つかの用語が定義されるかまたは明確にされる。
【０００９】
ＦＯ−１３３６ｍｚｚは、２つの立体配置異性体、ＥまたはＺの１つとして存在してもよい。ＦＯ−１３３６ｍｚｚは、本明細書で用いるところでは、異性体、Ｚ−ＦＯ−１３３６ｍｚｚまたはＥ−ＦＯ−１３３６ｍｚｚ、ならびにかかる異性体の任意の組み合わせまたは混合物を意味する。
【００１０】
本明細書で用いるところでは、用語「含む（ｃｏｍｐｒｉｓｅｓ）」、「含む（ｃｏｍｐｒｉｓｉｎｇ）」、「含まれる（ｉｎｃｌｕｄｅｓ）」、「をはじめとする（ｉｎｃｌｕｄｉｎｇ）」、「有する（ｈａｓ）」、「有する（ｈａｖｉｎｇ）」またはそれらの任意の他の変形は、非排他的な包含をカバーすることを意図される。例えば、要素のリストを含むプロセス、方法、物品、もしくは装置は、それらの要素のみに必ずしも限定されず、明確にリストされないか、またはかかるプロセス、方法、物品、もしくは装置に固有である他の要素を含んでもよい。さらに、相反する記載がない限り、「または」は、包含的な「または」を意味し、そして排他的な「または」を意味しない。例えば、条件ＡまたはＢは、次のいずれか１つで満たされる：Ａは真であり（または存在し）かつＢは偽である（存在しない）、Ａは偽であり（または存在せず）かつＢは真である（または存在する）、およびＡおよびＢの両方とも真である（または存在する）。
【００１１】
同様に、単数形（「ａ」または「ａｎ」）の使用は、本明細書に記載される要素および成分を記載するために採用される。これは、便宜上および本発明の範囲の一般的な意味を与えるために行われるにすぎない。この記載は、１つまたは少なくとも１つを包含すると読まれるべきであり、そして単数はまた、それが複数ではないことを意味することが明確でない限り複数を包含する。
【００１２】
特に明確にされない限り、本明細書に用いられる全ての技術的および科学的用語は、本発明が属する技術の当業者によって一般に理解されるものと同じ意味を有する。本明細書に記載されるものに類似のまたは等価の方法および材料を本発明の実施形態の実施または試験に用いることができるが、好適な方法および材料は以下に記載される。本明細書に言及される全ての刊行物、特許出願、特許、および他の参考文献は、特に節が言及されない限り、全体が参照により援用される。矛盾が生じた場合には、定義をはじめとして、本明細書が優先される。加えて、材料、方法、および実施例は例示的であるにすぎず、限定的であることを意図されない。
【００１３】
Ｚ−ＦＯ−１３３６ｍｚｚは公知の化合物であり、その製造方法は、例えば、全体が参照により本明細書によって援用される米国特許出願公開第２００８／０２６９５３２号明細書に開示されている。
【００１４】
本出願には、（ａ）Ｚ−ＦＯ−１３３６ｍｚｚ、（ｂ）トランス−１，２−ジクロロエチレン、および（ｃ）１，１，１，３，３−ペンタフルオロブタンから本質的になる三元共沸もしくは共沸混合物様組成物であって、トランス−１，２−ジクロロエチレンおよび１，１，１，３，３−ペンタフルオロブタンが、Ｚ−ＦＯ−１３３６ｍｚｚと共沸もしくは共沸混合物様混合物を形成するのに有効な量で存在する組成物が含まれる。
【００１５】
有効な量とは、Ｚ−ＦＯ−１３３６ｍｚｚと組み合わせられたときに、共沸もしくは共沸混合物様混合物の形成をもたらす量を意味する。この定義には、共沸もしくは共沸混合物様組成物が異なる圧力で、しかし可能性がある異なる沸点で存在し続ける限り、その量が組成物に加えられる圧力に依存して変わってもよい、各成分の量が含まれる。それ故、有効な量には、重量またはモル百分率で表され得る、本明細書に記載されるもの以外の温度または圧力で共沸もしくは共沸混合物様組成物を形成する本発明の組成物の各成分の量が含まれる。
【００１６】
当該技術分野で認められているように、共沸組成物は、２つ以上の異なる成分の混合剤であり、それは、所与の圧力下で液体形態にあるとき、実質的に一定の温度で沸騰し、沸騰中の全体液体組成と本質的に同一である蒸気組成を提供するであろう（例えば、Ｍ．Ｆ．Ｄｏｈｅｒｔｙ  ａｎｄ  Ｍ．Ｆ．Ｍａｌｏｎｅ、Ｃｏｎｃｅｐｔｕａｌ  Ｄｅｓｉｇｎ  ｏｆ  Ｄｉｓｔｉｌｌａｔｉｏｎ  Ｓｙｓｔｅｍｓ、ＭｃＧｒａｗ−Ｈｉｌｌ（Ｎｅｗ  Ｙｏｒｋ）、２００１年、１８５〜１８６、３５１〜３５９頁を参照されたい）。定沸点組成物は、一定圧力でのニート成分の沸点と比べて、それらが混合物の最高沸点か最低沸点かのどちらかを示すので、共沸として特徴付けられる、すなわち、最高または最低沸点が、組成物中の成分のモル分率の関数として、所与の圧力での組成物沸点のプロットにおいて観察される。共沸組成物はまた、一定温度でのニート成分の蒸気圧と比べて、混合物の蒸気圧における最高または最低によって特徴付けられる、すなわち、最高または最低蒸気圧が、組成物中の成分のモル分率の関数として、所与の温度での組成物蒸気圧のプロットにおいて観察される。
【００１７】
従って、共沸組成物の本質的な特徴は、所与の圧力で、液体組成物の沸点が固定されていること、かつ、沸騰中の組成物の上方の蒸気の組成が本質的に、沸騰中の全体液体組成物の組成である（すなわち、液体組成物の成分の分留が全く起こらない）ことである。共沸組成物が異なる圧力で沸騰にかけられるときに、共沸組成物の各成分の沸点および重量百分率の両方が変わる場合があることもまた当該技術分野で認められている。従って、共沸組成物は、成分間に存在する特有の関係の観点からまたは成分の組成範囲の観点から、または指定圧力での固定沸点によって特徴付けられる組成物の各成分の正確な重量百分率の観点から定義されてもよい。
【００１８】
本発明の目的のためには、共沸混合物様組成物は、共沸組成物のように挙動する（すなわち、定沸点特性または沸騰もしくは蒸発時に分留しない傾向を有する）組成物を意味する。それ故に、沸騰もしくは蒸発中に、気液組成は、それらが仮に変化する場合でも、最小限の程度または無視できる程度しか変化しない。これは、沸騰もしくは蒸発中に、気液組成がかなりの程度変化する非共沸混合物様組成物と対比されるべきである。
【００１９】
共沸混合物様組成物はまた、組成物中の成分のモル分率の関数として所与の圧力での組成物沸点のプロットにおける最高または最低沸点に隣接するエリアによって特徴付けることができる。それ故に、共沸混合物様組成物の別の特性は、所与の圧力での組成物の沸点が実質的に不変である、様々な割合で個々の成分を含有する様々な組成物が存在することである。
【００２０】
共沸混合物様組成物はまた、組成物中の成分のモル分率の関数として、所与の温度での組成物蒸気圧のプロットにおける最高または最低蒸気圧に隣接するエリアによって特徴付けることができる。それ故に、共沸混合物様組成物の別の特性は、所与の温度での組成物の蒸気圧が実質的に不変である、様々な割合で個々の成分を含有する様々な組成物が存在することである。
【００２１】
さらに、共沸混合物様組成物は、実質的に圧力差なしの露点圧力および沸点圧力を示す。すなわち、所与の温度での露点圧力と沸点圧力との差は小さな値であろう。
【００２２】
Ｚ−ＦＯ−１３３６ｍｚｚ、トランス−１，２−ジクロロエチレンおよび１，１，１，３，３−ペンタフルオロブタンは三元共沸もしくは共沸混合物様組成物を形成することが実験によって見いだされた。共沸組成物は、約７１重量パーセントのＺ−１，１，１，４，４，４−ヘキサフルオロ−２−ブテン、約２７重量パーセントのトランス−１，２−ジクロロエチレン、および約２重量パーセントの１，１，１，３，３−ペンタフルオロブタンから本質的になる。それは、ほぼ大気圧（１４．７ｐｓｉａ）で約３０℃の沸点を有する。共沸混合物様組成物は、約５２〜約７２重量パーセントのＺ−１，１，１，４，４，４−ヘキサフルオロ−２−ブテン、約２０〜約２８重量パーセントのトランス−１，２−ジクロロエチレン、および０より多く〜約２７重量パーセントの１，１，１，３，３−ペンタフルオロブタンから本質的になる。それは、約１４．７ｐｓｉａの圧力で約３０℃〜約３２℃の沸点を有する。
【００２３】
本発明の共沸もしくは共沸混合物様組成物は、所望の量の混合または組み合わせをはじめとする任意の従来の方法によって調製することができる。本発明の一実施形態では、共沸もしくは共沸混合物様組成物は、所望の成分量を秤量し、その後適切な容器でそれらを組み合わせることによって調製することができる。
【００２４】
本発明の共沸もしくは共沸混合物様組成物は、エアゾール噴射剤、冷媒、溶媒、クリーニング剤、熱可塑性および熱硬化性発泡体用の発泡剤（発泡体膨張剤）、熱媒、ガス状誘電体、消火剤および鎮火剤、動力サイクル作動流体、重合媒体、微粒子除去流体、キャリア流体、バフ研磨剤、および置換乾燥剤としてのそれらの使用をはじめとする、広範囲の用途に使用することができる。
【００２５】
本発明の一実施形態は、熱可塑性または熱硬化性発泡体の製造方法を提供する。本方法は、共沸もしくは共沸混合物様組成物を発泡剤として使用する工程を含み、ここで、前記共沸もしくは共沸混合物様組成物は、（ａ）Ｚ−１，１，１，４，４，４−ヘキサフルオロ−２−ブテン、（ｂ）トランス−１，２−ジクロロエチレン、および（ｃ）１，１，１，３，３−ペンタフルオロブタンから本質的になり、トランス−１，２−ジクロロエチレンおよび１，１，１，３，３−ペンタフルオロブタンは、Ｚ−１，１，１，４，４，４−ヘキサフルオロ−２−ブテンと共沸もしくは共沸混合物様組み合わせを形成するのに有効な量で存在する。
【００２６】
本発明の別の実施形態は、冷却を行うための方法を提供する。本方法は、共沸もしくは共沸混合物様組成物を凝縮させる工程と、その後冷却されるべき本体の近くで前記共沸もしくは共沸混合物様組成物を蒸発させる工程とを含み、ここで、前記共沸もしくは共沸混合物様組成物は、（ａ）Ｚ−１，１，１，４，４，４−ヘキサフルオロ−２−ブテン、（ｂ）トランス−１，２−ジクロロエチレン、および（ｃ）１，１，１，３，３−ペンタフルオロブタンから本質的になり、トランス−１，２−ジクロロエチレンおよび１，１，１，３，３−ペンタフルオロブタンは、Ｚ−１，１，１，４，４，４−ヘキサフルオロ−２−ブテンと共沸もしくは共沸混合物様組み合わせを形成するのに有効な量で存在する。
【００２７】
本発明の別の実施形態は、共沸もしくは共沸混合物様組成物を溶媒として使用する方法であって、前記共沸もしくは共沸混合物様組成物が、（ａ）Ｚ−１，１，１，４，４，４−ヘキサフルオロ−２−ブテン、（ｂ）トランス−１，２−ジクロロエチレン、および（ｃ）１，１，１，３，３−ペンタフルオロブタンから本質的になり、トランス−１，２−ジクロロエチレンおよび１，１，１，３，３−ペンタフルオロブタンが、Ｚ−１，１，１，４，４，４−ヘキサフルオロ−２−ブテンと共沸もしくは共沸混合物様組み合わせを形成するのに有効な量で存在する方法を提供する。
【００２８】
本発明の別の実施形態は、エアゾール製品の製造方法を提供する。本方法は、共沸もしくは共沸混合物様組成物を噴射剤として使用する工程を含み、ここで、前記共沸もしくは共沸混合物様組成物は、（ａ）Ｚ−１，１，１，４，４，４−ヘキサフルオロ−２−ブテン、（ｂ）トランス−１，２−ジクロロエチレン、および（ｃ）１，１，１，３，３−ペンタフルオロブタンから本質的になり、トランス−１，２−ジクロロエチレンおよび１，１，１，３，３−ペンタフルオロブタンは、Ｚ−１，１，１，４，４，４−ヘキサフルオロ−２−ブテンと共沸もしくは共沸混合物様組み合わせを形成するのに有効な量で存在する。
【００２９】
本発明の別の実施形態は、共沸もしくは共沸混合物様組成物を熱媒として使用する方法であって、前記共沸もしくは共沸混合物様組成物が、（ａ）Ｚ−１，１，１，４，４，４−ヘキサフルオロ−２−ブテン、（ｂ）トランス−１，２−ジクロロエチレン、および（ｃ）１，１，１，３，３−ペンタフルオロブタンから本質的になり、トランス−１，２−ジクロロエチレンおよび１，１，１，３，３−ペンタフルオロブタンが、Ｚ−１，１，１，４，４，４−ヘキサフルオロ−２−ブテンと共沸もしくは共沸混合物様組み合わせを形成するのに有効な量で存在する方法を提供する。
【００３０】
本発明の別の実施形態は、消火または鎮火方法を提供する。本方法は、共沸もしくは共沸混合物様組成物を消火剤または鎮火剤として使用する工程を含み、ここで、前記共沸もしくは共沸混合物様組成物は、（ａ）Ｚ−１，１，１，４，４，４−ヘキサフルオロ−２−ブテン、（ｂ）トランス−１，２−ジクロロエチレン、および（ｃ）１，１，１，３，３−ペンタフルオロブタンから本質的になり、トランス−１，２−ジクロロエチレンおよび１，１，１，３，３−ペンタフルオロブタンは、Ｚ−１，１，１，４，４，４−ヘキサフルオロ−２−ブテンと共沸もしくは共沸混合物様組み合わせを形成するのに有効な量で存在する。
【００３１】
本発明の別の実施形態は、共沸もしくは共沸混合物様組成物を誘電体として使用する方法であって、前記共沸もしくは共沸混合物様組成物が、（ａ）Ｚ−１，１，１，４，４，４−ヘキサフルオロ−２−ブテン、（ｂ）トランス−１，２−ジクロロエチレン、および（ｃ）１，１，１，３，３−ペンタフルオロブタンから本質的になり、トランス−１，２−ジクロロエチレンおよび１，１，１，３，３−ペンタフルオロブタンが、Ｚ−１，１，１，４，４，４−ヘキサフルオロ−２−ブテンと共沸もしくは共沸混合物様組み合わせを形成するのに有効な量で存在する方法を提供する。
【００３２】
多くの態様および実施形態が上に説明されてきたが、例示的であるにすぎず、限定的ではない。本明細書を読むと、当業者は、その他の態様および実施形態が本発明の範囲から逸脱することなく可能であることを十分理解する。
【実施例】
【００３３】
本明細書に記載される概念は、特許請求の範囲に記載される本発明の範囲を限定しない、以下の実施例においてさらに説明される。実施例においては特に明記しない限り、全ての百分率は重量による。
【００３４】
実施例１
実施例１は、Ｚ−１，１，１，４，４，４−ヘキサフルオロ−２−ブテン、トランス−１，２−ジクロロエチレンおよび１，１，１，３，３−ペンタフルオロブタンによって形成される共沸もしくは共沸混合物様組成物の存在を実証する。温度計を備えたエブリオメータに、２０．０グラムの混合物（７２．１重量％のＺ−１，１，１，４，４，４−ヘキサフルオロ−２−ブテンおよび２７．９重量％のトランス−１，２−ジクロロエチレン）を装入し、次に１，１，１，３，３−ペンタフルオロブタンを測定増量して加えた。約１４．７ｐｓｉａで、得られた三元混合物の沸点温度を測定し、記録した（表１を参照されたい）。１，１，１，３，３−ペンタフルオロブタンをＺ−ＦＯ−１３３６ｍｚｚ／トランス−１，２−ＤＣＥ混合物に加えたときに温度低下が観察され、三元最低沸騰共沸混合物が形成されたことを示唆した。ほぼ大気圧（１４．７ｐｓｉａ）で三元共沸組成物は、約２重量パーセントの１，１，１，３，３−ペンタフルオロブタン、約７１重量パーセントのＺ−ＦＯ−１３３６ｍｚｚおよび約２７重量パーセントのトランス−１，２−ＤＣＥを有し、約３０℃の沸点を有することが分かった。０より多く〜約２７重量パーセントの１，１，１，３，３−ペンタフルオロブタンで、得られた三元混合物の沸点は約２℃以下だけ変化した。これらの組成物はそれ故に、この範囲にわたって共沸混合物様特性を示した。
【００３５】
【表１】
0005856978.tif 000002
なお、本発明は、特許請求の範囲を含め、以下の発明を包含する。
１．（ａ）Ｚ−１，１，１，４，４，４−ヘキサフルオロ−２−ブテン、
（ｂ）トランス−１，２−ジクロロエチレン、および
（ｃ）１，１，１，３，３−ペンタフルオロブタン
から本質的になる共沸組成物であって、前記トランス−１，２−ジクロロエチレンおよび前記１，１，１，３，３−ペンタフルオロブタンが、前記Ｚ−１，１，１，４，４，４−ヘキサフルオロ−２−ブテンと共沸組み合わせを形成するのに有効な量で存在する組成物。
２．（ａ）約７１重量パーセントのＺ−１，１，１，４，４，４−ヘキサフルオロ−２−ブテン、
（ｂ）約２７重量パーセントのトランス−１，２−ジクロロエチレン、および
（ｃ）約２重量パーセントの１，１，１，３，３−ペンタフルオロブタン
から本質的になる１に記載の共沸組成物。
３．約１４．７ｐｓｉａの圧力で約３０℃の沸点を有する２に記載の共沸組成物。
４．（ａ）Ｚ−１，１，１，４，４，４−ヘキサフルオロ−２−ブテン、
（ｂ）トランス−１，２−ジクロロエチレン、および
（ｃ）１，１，１，３，３−ペンタフルオロブタン
から本質的になる共沸混合物様組成物であって、前記トランス−１，２−ジクロロエチレンおよび前記１，１，１，３，３−ペンタフルオロブタンが、前記Ｚ−１，１，１，４，４，４−ヘキサフルオロ−２−ブテンと共沸混合物様組み合わせを形成するのに有効な量で存在する共沸混合物様組成物。
５．（ａ）約５２〜約７２重量パーセントのＺ−１，１，１，４，４，４−ヘキサフルオロ−２−ブテン、
（ｂ）約２０〜約２８重量パーセントのトランス−１，２−ジクロロエチレン、および
（ｃ）０〜約２７重量パーセントの１，１，１，３，３−ペンタフルオロブタン
から本質的になる４に記載の共沸混合物様組成物。
６．約１４．７ｐｓｉａの圧力で約３０℃〜約３２℃の沸点を有する５に記載の共沸混合物様組成物。
７．１または４に記載の共沸組成物もしくは共沸混合物様組成物を発泡剤として使用する工程を含む熱可塑性または熱硬化性発泡体の製造方法。
８．１または４に記載の共沸組成物もしくは共沸混合物様組成物を凝縮させる工程と、その後冷却されるべき本体の近くで前記共沸組成物もしくは共沸混合物様組成物を蒸発させる工程とを含む冷却を行うための方法。
９．１または４に記載の共沸組成物もしくは共沸混合物様組成物を溶媒として使用する工程を含む方法。
１０．１または４に記載の共沸組成物もしくは共沸混合物様組成物を噴射剤として使用する工程を含むエアゾール製品の製造方法。
１１．１または４に記載の共沸組成物もしくは共沸混合物様組成物を熱媒として使用する工程を含む方法。
１２．１または４に記載の共沸組成物もしくは共沸混合物様組成物を消火剤または鎮火剤として使用する工程を含む消火または鎮火方法。
１３．１または４に記載の共沸組成物もしくは共沸混合物様組成物を誘電体として使用する工程を含む方法。